(57)【要約】【課題】  静粛性を保持し、薬液を自給でき、薬液の流量を適宜可変でき、薬液注入作業を効率的かつ迅速に実施することができる遺体保存処理用薬液注入装置を提供する。【解決手段】  遺体保存処理用薬液注入装置１は、ケーシング２と、薬液タンク３と、薬液タンク３から薬液を薬液流出口６５へと流動させる圧送ポンプ４と、薬液チューブ６と、操作部品７と、表示部品８と、電源装置９と、圧送ポンプ４、操作部品７、表示部品８を作動、制御する制御装置１０と、から遺体保存処理用薬液注入装置１を構成する。圧送ポンプ４は、ケーシング４３と、搬送チューブ４４と、ローター４５と、から構成されるポンプ本体４１と、これを駆動する駆動装置４２と、から構成する。【選択図】          図３
2020081666.tif 000002
【特許請求の範囲】
【請求項１】
ケーシングと、前記ケーシング内に配置した薬液タンクと、前記薬液タンクから薬液を流出させ、薬液流出口へと流動させる圧送ポンプと、薬液を流通させる薬液チューブと、前記圧送ポンプの作動状態を操作する操作部品と、前記圧送ポンプの作動状態を表示する表示部品と、前記圧送ポンプ、表示部品に電力を供給する電源装置と、前記圧送ポンプ、操作部品、表示部品を作動、制御する制御装置と、から構成したことを特徴とする遺体保存処理用薬液注入装置。
【請求項２】
前記圧送ポンプは、ケーシングと、搬送チューブと、ローターと、から構成されるポンプ本体と、これを駆動する駆動装置と、から構成したことを特徴とする請求項１に記載の遺体保存処理用薬液注入装置。
【請求項３】
前記ケーシング内にコンプレッサーを配設し、前記薬液タンク内に充填した薬液を撹拌するようにしたことを特徴とする請求項１又は２に記載の遺体保存処理用薬液注入装置。
【請求項４】
前記操作部品として、前記圧送ポンプの作動状態を選択できるモード選択スイッチを備えたことを特徴とする請求項１乃至３の何れかに記載の遺体保存処理用薬液注入装置。
【発明の詳細な説明】
【技術分野】
【０００１】
本発明は、遺体を処理して長期保存を可能にするために、遺体の血管に遺体保存処理用薬液を注入する際に使用する薬液注入装置に関する。
【背景技術】
【０００２】
人間が死亡すると、臓器の消化酵素、体内中の微生物等によって肉体の分解が始まると共に、クロバエ、ニクバエ等の幼虫の摂食活動によって肉体の損壊が進んでいき、腐敗の進んだ死体は、病原菌を保有することがあり、悪臭のする体液が漏出することがある。
【０００３】
そして、死後の外見上の変化はおよそ見るに堪えなくなり、遺族に精神的なストレスやショックを与える場合があることから、葬送まで死体の衛生、外観の保持を図るべく、エンバーミング処置が実施されるようになってきた。
【０００４】
エンバーミング処置においては、先ず、死体の全身、体腔を消毒、洗浄した後、整顔等の作業を実施する。
そして、遺体の右鎖骨上部を小切開し、動脈及び静脈を挙げて、動脈より遺体保存処理用薬液（エンバーミング液）を注入し、同時に、静脈より血液を排出する。
【０００５】
この遺体保存処理用薬液の注入に際しては、圧送ポンプを作動させて薬液タンクから薬液を流出、供給し、薬液チューブを介して動脈から薬液を注入するようにしている（特許文献１参照）。
【先行技術文献】
【特許文献】
【０００６】
【特許文献１】特開２０００−０９５６０１号公報
【発明の開示】
【発明が解決しようとする課題】
【０００７】
特許文献１においては、薬液タンクと、圧送ポンプと、から構成される薬液注入装置が開示されているが、圧送ポンプに関して、具体的な構成、操作及び機能については、何等記載されていない。
【０００８】
従来、特許文献１のような薬液注入装置では、圧送ポンプとしてギアポンプを採用しているから、使用時に、どうしても騒音が大きくなり、静粛であるべきエンバーミング処置には沿わないものであった。
【０００９】
又、ギアポンプにおいては、ケーシング及びチューブ内に予め液体を充満させていなければ、ポンプの機能を奏することができない。すなわち、薬液を自給することができず、使用時に、予め呼び水としての薬液を充満させていなければならない。
【００１０】
さらに、ギアポンプにおいては、定量的に液体を供給するには優れているが、液体の流量を適宜可変することは難しい。又、液体を間欠的に供給することも容易ではなく、薬液注入時には、作業者の技量が要求されるものであった。
【００１１】
本発明は、このような従来の問題点に鑑みて為されたものであって、遺体保存処理用薬液（エンバーミング液）を注入する作業において、騒音が小さく、静粛性を保持することができ、呼び水を必要とせず、薬液を自給することができ、しかも、薬液の流量を適宜可変できると共に、間欠的に供給することもできて、薬液注入作業を効率的かつ迅速に実施することができる遺体保存処理用薬液注入装置を提供することを目的とする。
【課題を解決するための手段】
【００１２】
上記目的を達成するために、本発明の遺体保存処理用薬液注入装置は、ケーシングと、前記ケーシング内に配置した薬液タンクと、前記薬液タンクから薬液を流出させ、薬液流出口へと流動させる圧送ポンプと、薬液を流通させる薬液チューブと、前記圧送ポンプの作動状態を操作する操作部品と、前記圧送ポンプの作動状態を表示する表示部品と、前記圧送ポンプ、表示部品に電力を供給する電源装置と、前記圧送ポンプ、操作部品、表示部品を作動、制御する制御装置と、から構成したことを特徴とする。
【００１３】
ここで、前記圧送ポンプは、ケーシングと、搬送チューブと、ローターと、から構成されるポンプ本体と、これを駆動する駆動装置と、から構成するのが好ましい。
【００１４】
又、前記ケーシング内にコンプレッサーを配設し、前記薬液タンク内に充填した薬液を撹拌できるようにするのが好ましい。
【００１５】
さらに、前記操作部品として、前記圧送ポンプの作動状態を選択できるモード選択スイッチを備えることが好ましい。
【発明の効果】
【００１６】
本発明の遺体保存処理用薬液注入装置によれば、騒音が小さく、静粛性を保持することができ、呼び水を必要とせず、薬液を自給することができる。
【００１７】
又、薬液の流量を適宜可変できると共に、間欠的に供給することもできて、薬液注入作業を効率的かつ迅速に実施することができ、作業者の技量がそれほど要求されない。
【図面の簡単な説明】
【００１８】
【図１】本発明の遺体保存処理用薬液注入装置の外観斜視図である。
【図２】図１に示す遺体保存処理用薬液注入装置の正面図である。
【図３】図１に示す遺体保存処理用薬液注入装置の一部切欠側面図である。
【図４】図１に示す遺体保存処理用薬液注入装置の平面図である。
【図５】図１に示す遺体保存処理用薬液注入装置の分解斜視図である。
【図６】圧送ポンプの（Ａ）は正面図、（Ｂ）は側面図である。
【図７】図６に示す圧送ポンプの（Ａ）はI−I断面図、（Ｂ）はII−II断面図である。
【図８】図６に示す圧送ポンプのIII−III断面図である。
【図９】コンプレッサーの（Ａ）は正面図、（Ｂ）は平面図、（Ｃ）は側面図である。
【図１０】図１に示す遺体保存処理用薬液注入装置の操作及び表示パネルの正面図である。
【図１１】本発明の遺体保存処理用薬液注入装置の電気配線図である。
【図１２】本発明の遺体保存処理用薬液注入装置の動作説明図である。
【発明を実施するための形態】
【００１９】
本発明の遺体保存処理用薬液注入装置の好適な実施形態について、以下、図面を参照して詳細に説明する。
【００２０】
本発明の遺体保存処理用薬液注入装置１は、図１乃至図５に示すように、ケーシング２と、薬液タンク３と、圧送ポンプ４と、コンプレッサー５と、薬液チューブ６と、操作部品７と、表示部品８と、電源装置９と、制御装置１０と、から構成してある。
【００２１】
ケーシング２は、正面板２１，側面板２２，２３，背面板２４，平面板２５，底面板２６から構成される。
ケーシング２の材料としては、鉄板、ステンレス鋼鈑、アルミニウム板、プラスチック板等、適宜材料を採用することができるが、軽量性、耐水性、耐錆性を考慮すると、ステンレス鋼鈑、プラスチック板を採用するのが好ましい。又、鉄板を採用する場合には、防錆のために、表面に塗料を塗布又は金属メッキ等する必要がある。
【００２２】
正面板２１には、右側部に開口２１ａを、左側部に窓孔２１ｂを形成してある。この開口２１ａは、操作及び表示パネル２７によって被覆してある。
平面板２５は、正面板２１，側面板２２，２３，背面板２４にネジを螺合することによって固定してあり、ネジの螺合を解けば離脱できるようになっている。
さらに、底面板２６には、四隅部に脚体２６ａを固着してある。脚体２６ａの材料としては、耐水性、耐錆性の高いゴム材料又はプラスチック材料を採用するのが好ましい。
【００２３】
薬液タンク３は、ケーシング２内の左側部に配置されており、薬液タンク３の上端部には、略逆円錐形状の薬液導入部材３１を配置してある。
薬液導入部材３１を介して薬液を導入し、薬液タンク３内に薬液を充填させることができる。そして、薬液タンク３内の薬液の容量は、前記窓孔２１ｂを介して確認することができる。
【００２４】
圧送ポンプ４は、図３に示すように、ケーシング２内の右側部の中央より若干後側部に配置されており、図６乃至図８に示すように、ポンプ本体４１と、駆動装置４２と、から構成したチューブポンプである。
ポンプ本体４１は、図６乃至図８に示すように、ケーシング４３と、搬送チューブ４４と、円盤状を呈するローター４５と、から構成されるものであって、ローター４５の駆動軸４５ａを偏心させてある。
これによって、ローター４５の回転によって搬送チューブ４４の押圧位置を順次変更させつつ、薬液導入口４６ａから薬液を搬送チューブ４４内に流入させ、搬送チューブ４４内で押圧して流動させ、薬液排出口４６ｂから薬液を搬送チューブ４４外に流出させるようになっている。
駆動装置４２としては、直流モーターを採用してあり、モーター軸４２ａを前記駆動軸４５ａに同一軸上に連結してある。
【００２５】
コンプレッサー５は、図３に示すように、ケーシング２内の右側部の略中央部に支持基板５１によって支持、配設してあり、図９に示すように、コンプレッサー本体５２と、駆動装置５３と、から構成したピストン式コンプレッサーである。
コンプレッサー本体５２は、図９に示すように、シリンダー５４と、円盤状を呈するクランク５５と、から構成されるものであって、クランク５５の駆動軸５５ａを偏心させてある。
これによって、クランク５５の回転によってシリンダー５４との当接位置を順次変更させつつ、空気導入口５６ａから空気をシリンダー５４内に流入させ、シリンダー５４内で押圧して圧縮させ、空気排出口５６ｂから所定圧力とした空気を流出させるようになっている。
駆動装置５３としては、直流モーターを採用してあり、モーター軸５３ａを前記駆動軸５５ａに同一軸上に連結してある。
【００２６】
薬液チューブ６は、薬液タンク３、圧送ポンプ４、後記薬液流出口６５を接続し、薬液を流通させるものである。
ここで、エンバーミング液である薬液としては、一般的に、メチルアルコール、ポリエチレングリコール、フェノール、ホルマリン及び水から成るものが使用される。
よって、薬液チューブ６としては、耐水性、上記薬品に対する耐薬品性にすぐれ、かつ可撓性、柔軟性の高いプラスチック材料又はゴム材料から成るもの、特には、シリコーン樹脂から成るものを採用するのが好ましい。
【００２７】
操作部品７は、図１０に示すように、操作及び表示パネル２７に配置された、電源ボタン７１、モード選択スイッチ７２、圧力制御ボリューム７３、流量制御ボリューム７４及び流速制御ボリーム７５から成る。
【００２８】
表示部品８は、図１０に示すように、操作及び表示パネル２７に配置された、電源用ＬＥＤ７１ａ、ポンプ作動用ＬＥＤ８１、撹拌動作用ＬＥＤ８２、圧力表示器８３、流量表示器８４から成る。
【００２９】
電源装置９は、図３に示すように、ケーシング２内の右側部の中央より若干後側部に配置されており、整流回路を備えた直流電源を採用してある。
【００３０】
制御装置１０は、図３に示すように、ケーシング２内の右側部の中央より若干後側部に支持基板５１によって支持、配設した制御回路基板１１から成る。
制御回路基板１１には、マイクロコンピュータ１２を配置してあり、これによって、前記圧送ポンプ４、コンプレッサー５、操作部品７、表示部品８、電源９等にコマンドを送信し、各装置及び部品を作動させるようになっている。
【００３１】
本発明の遺体保存処理用薬液注入装置１は、以上のような構成であって、以下のように操作し、作動させることができる。
【００３２】
先ず、図１に示すように、遺体保存処理用薬液注入装置１の側面板２２に配設した電源ジャック６６にＡＣアダプター１００のジャック１０１を差し込み、適宜コンセントに電源プラグ１０２を差し込む。
次に、図１に示すように、注入ホース２００のジョイント２０１を遺体保存処理用薬液注入装置１の操作及び表示パネル２７に配設した薬液流出口６５のカプラーに接続する。
【００３３】
電源ボタン７１を押下して、電源をＯＮにすると、電源用ＬＥＤ７１ａが点灯すると共に、流量表示器８４のバックライトも点灯する。
【００３４】
先ず、薬液導入部材３１を介して、薬液と水とを注入する。そして、モード選択スイッチ７２をＭＩＸモードに設定する。
これによって、コンプレッサー５が作動し、薬液タンク３内に圧縮空気を供給し、薬液タンク３内に充填した薬液と水にバブルを発生させるから、薬液と水とを十分に撹拌することができ、均質にする作用を果たすことができる。
【００３５】
次に、圧力表示器８３及び流量表示器８４を視認しつつ、圧力制御ボリューム７３及び流量制御ボリューム７４を調整して、薬液が注入ホース２００に流出する圧力及び流量を適宜設定する。
【００３６】
次に、モード選択スイッチ７２をＤモード、Ｓ．Ｐモード、Ｄ．Ｐモードの何れかに設定して、薬液が正常に流出しているかを確認した後、遺体の体内に薬液を注入する作業を開始する。
【００３７】
図１２に示すように、Ｄモードに設定した場合には、薬液が注入ホース２００に連続的に流出するようになっている。
Ｓ．Ｐモードに設定した場合には、薬液が注入ホース２００に０．５秒間流出した後、１秒間停止するというように、間欠的に流出する動作を繰り返すようになっている。
Ｄ．Ｐモードに設定した場合には、薬液が注入ホース２００に０．３５秒間流出し、０．３５秒間停止し、０．３５秒間流出した後、１秒間停止するというように、間欠的に流出するようになっている。
【００３８】
遺体保存処理用薬液注入装置１は、上記のように、薬液の流出形態を適宜選択することができるから、薬液を注入する遺体の種別、例えば、老人、成人、子供、男性、女性と異なることによる、血管の管径の大小、強度の程度に対応させることができ、血管を損傷させることなく、注入作業を実施することができる。
【００３９】
注入作業を終了するには、モード選択スイッチ７２をＤモードに設定して、薬液タンク３に残存した薬液を排出する。
その後、電源ボタン７１を押下して、電源をＯＦＦにすると、電源用ＬＥＤ７１ａが消灯すると共に、流量表示器８４のバックライトも消灯する。
【００４０】
以上説明したように、本発明の遺体保存処理用薬液注入装置１によれば、ギアポンプを採用していないから、騒音が小さく、静粛性を保持することができ、又、呼び水を必要とせず、薬液を自給することができる。
【００４１】
又、圧送ポンプ４としてローター４５を採用し、その駆動装置４２として直流モーターを採用したから、薬液の流量を適宜連続的に可変できると共に、間欠的に供給することもできて、薬液注入作業を効率的かつ迅速に実施することができる。
【符号の説明】
【００４２】
１  遺体保存処理用薬液注入装置
２  ケーシング
３  薬液タンク
４  圧送ポンプ
４３  ケーシング
４４  搬送チューブ
４５  ローター
５  コンプレッサー
６  薬液チューブ
７  操作部品
７２  モード選択スイッチ
８  表示部品
９  電源装置
１０  制御装置
【図１】
2020081666.tif 000003
【図２】
2020081666.tif 000004
【図３】
2020081666.tif 000005
【図４】
2020081666.tif 000006
【図５】
2020081666.tif 000007
【図６】
2020081666.tif 000008
【図７】
2020081666.tif 000009
【図８】
2020081666.tif 000010
【図９】
2020081666.tif 000011
【図１０】
2020081666.tif 000012
【図１１】
2020081666.tif 000013
【図１２】
2020081666.tif 000014